(57)【要約】【課題】ハンディタイプの清掃用物品に用いる清掃用シートであって、洗浄液を含有するウエットタイプとして好適な清掃用シート及び清掃用物品を提供する。【解決手段】清掃用物品３００は、清掃用シート１００と把持具２００とを備え、ウエットタイプとして使用可能な清掃用物品である。清掃用シート１００は刷毛部を備え、刷毛部は、複数の短冊片１１０ｂが形成されている不織布シート１１５が、線シール部１６０で複数枚接合されて積層されている。複数の不織布シート１１５は、洗浄液が含浸される親水性不織布からなる第１不織布シート１１５ａと、疎水性不織布からなる第２不織布シート１１５ｂとが積層配置されており、第１不織布シート１１５ａ間に第２不織布シート１１５ｂが挟まれるように配置されている。【選択図】図１
2014183993.tif 000002
【特許請求の範囲】
【請求項１】
刷毛部を備える使い捨ての清掃用シートであって、
前記刷毛部は、複数の短冊片が形成されている不織布シートが、所定の接合領域で複数枚接合されて積層されており、
前記複数の不織布シートは、親水性不織布からなる第１不織布シートと、疎水性不織布からなる第２不織布シートとが積層配置されており、
前記第１不織布シート間に前記第２シートが配置されている清掃用シート。
【請求項２】
清掃面側の最外層に前記第１不織布シートが配置されている請求項１に記載の清掃用シート。
【請求項３】
前記第１不織布シートと前記第２不織布シートとが交互に配置されている請求項１又は２に記載の清掃用シート。
【請求項４】
前記第１不織布シートには、洗浄液が含浸されている請求項１から３のいずれかに記載の清掃用シート。
【請求項５】
請求項１から４のいずれかに記載の清掃シートと、前記清掃シートに装着される把持具と、を備える清掃用物品。
【発明の詳細な説明】
【技術分野】
【０００１】
本発明は、例えば、把持具を備えるハンディタイプの清掃用物品であって、好ましくは洗浄液を含有するウエットタイプの清掃用物品に用いる清掃用シート及びこれを用いた清掃用物品に関する。
【背景技術】
【０００２】
刷毛部を有する使い捨ての清掃シートと、この清掃シートに装着される把持具と、を備える、いわゆるハンディタイプの清掃用物品における清掃用シートとして、例えば、繊維層と不織布シートとを積層配置した清掃用シートがある（例えば特許文献１参照）。また、この種のハンディタイプの清掃用物品であって、洗浄液を含有するいわゆるウエットタイプの清掃用物品における清掃用シートとして、親水性不織布シートに洗浄組成物を含有させたものもある（例えば特許文献２参照）。
【先行技術文献】
【特許文献】
【０００３】
【特許文献１】特開２００７−０２９１３６号公報
【特許文献２】特表２０１０−５０００８８号公報
【発明の概要】
【発明が解決しようとする課題】
【０００４】
特許文献１の清掃用物品は、繊維層と不織布シートとを構成要件として備えている。しかし、ウエットタイプに用いる場合には、繊維層が存在すると、洗浄液によって繊維同士が収束して仮着してしまうので充分な清掃性を得ることができない。
【０００５】
一方、特許文献２の清掃用物品においては、親水性不織布シートに洗浄組成物を含有させることによってこの問題を解決しようとしたものであり、特許文献２の図１０には、複数の親水性不織布シートからなる態様が記載されている。
【０００６】
しかしながら、特許文献２のような清掃用物品では、複数の親水性不織布シートに洗浄液を含浸させた場合、隣接する不織布シート同士が洗浄液によって仮着してしまうので、やはり充分な清掃効果が得られないという問題があった。
【０００７】
また、この態様では複数の不織布シート毎の洗浄液の含浸量の制御が困難である。すなわち、洗浄液量は、保管状態によって不織布シート間で偏ってしまう。このため、清掃面で常時安定した洗浄液の含浸量を長時間維持することができない。
【０００８】
本発明は、上記の課題を解決することで、例えばハンディタイプの清掃用物品であって、隣接する不織布シート間の仮着を防止するとともに、清掃時や保管時に安定した洗浄液の含浸量を維持でき、優れた清掃性を長期間維持できるウエットタイプの清掃用シート及びこれを用いた清掃用物品を提供することを目的とする。
【課題を解決するための手段】
【０００９】
本発明者らは、いわゆるトウなどの繊維束を使用せずに、短冊片を有する不織布シートのみで刷毛部を構成し、加えて、洗浄液が含浸されている又は将来含浸される親水性不織布からなる第１不織布シート間に、疎水性不織布からなる第２不織布シートを積層配置することで上記の課題を解決できることを見出し、本発明を完成するに至った。具体的には、本発明は以下のものを提供する。
【００１０】
（１）  刷毛部を備える使い捨ての清掃用シートであって、
前記刷毛部は、複数の短冊片が形成されている不織布シートが、所定の接合領域で複数枚接合されて積層されており、
前記複数の不織布シートは、親水性不織布からなる第１不織布シートと、疎水性不織布からなる第２不織布シートとが積層配置されており、
前記第１不織布シート間に前記第２シートが配置されている清掃用シート。
【００１１】
（２）  清掃面側の最外層に前記第１不織布シートが配置されている（１）に記載の清掃用シート。
【００１２】
（３）  前記第１不織布シートと前記第２不織布シートとが交互に配置されている（１）又は（２）に記載の清掃用シート。
【００１３】
（４）  前記第１不織布シートには、洗浄液が含浸されている（１）から（３）のいずれかに記載の清掃用シート。
【００１４】
（５）  （１）から（４）のいずれかに記載の清掃シートと、前記清掃シートに装着される把持具と、を備える清掃用物品。
【発明の効果】
【００１５】
本発明によれば、例えばハンディタイプの清掃用物品の清掃用シートであって、隣接する不織布シート間の仮着を防止するとともに、清掃時や保管時に安定した洗浄液の含浸量を維持でき、優れた清掃性を長期間維持できるウエットタイプの清掃用シート及びこれを用いた清掃用物品を提供できる。
【図面の簡単な説明】
【００１６】
【図１】本発明の一実施形態である清掃用物品であって、把持具を本発明の一実施形態である清掃用シートに装着した状態を示す斜視図である。
【図２】本発明の一実施形態である清掃用シートの平面図である。
【図３】本発明の一実施形態である清掃用シートの底面図である。
【図４】図２における清掃用シートのＡ−Ａ断面図である。
【図５】清掃用シートの分解斜視図である。
【発明を実施するための形態】
【００１７】
以下、本発明の好ましい実施形態につき図面を参照しながら説明する。
【００１８】
＜全体構成＞
図１に示すように、この実施形態における清掃用物品３００は、把持具２００と、使い捨ての清掃シート１００とからなる。把持具２００は、基部２１０から２つに分かれて略並行に伸びる挿入部２１０ａ、２１０ｂとからなり、この挿入部２１０ａ、２１０ｂを、清掃シート１００の被挿入空間１５０、１５０に挿入することで清掃用物品３００が使用できる状態となる。
【００１９】
図２、図５も併せて参照すると、清掃シート１００は、全体として複数枚の不織布シート１１０が積層されて構成されており、全ての不織布シートは長手方向中央部の線シール部１６０（本発明における接合領域に相当）によって接合されている。清掃シート１００の被挿入空間１５０、１５０は、最上層（図５における上から１層目）の不織布シート１１１と、２層目、３層目の不織布シート１１２とで構成されており、この３層をポイントシール部１７０によって囲むことで被挿入空間１５０、１５０が形成されており、把持具２００の装着部を構成している。
【００２０】
図５に示すように、装着部を構成する不織布シート１１１、１１２と、４層目から１０層目の７枚の不織布シート１１５は、重ね合わせた状態で、線シール部１６０によって接合一体化することで形成される。
【００２１】
＜刷毛部＞
図４に示すように、この実施形態における４層目から１０層目の７枚の不織布シート１１５は、本発明における刷毛部を構成している。それぞれの不織布シートの平面形状は矩形形状の不織布シートであり、その長手方向の両側辺の縁部からの歯状のジグザク形状の切り込み線１１０ａによって、線シール部１６０を基部として複数の短冊片１１０ｂが形成されている。この短冊片は自由端を有しており、これによって刷毛性能による清掃効果を発揮している。
【００２２】
なお、この実施形態においては、被挿入空間１５０、１５０を構成する２層目の不織布シート１１２においても、一部に短冊片が形成されており、この短冊片も刷毛部を構成している。
【００２３】
本発明における不織布シート１１５で構成される刷毛部は、具体的には、親水性不織布からなる第１不織布シート１１５ａと、疎水性不織布からなる第２不織布シート１１５ｂとが交互に積層配置されており、第１不織布シート１１５ａ間に第２不織布シート１１５ｂが配置される構成となっている。
【００２４】
＜第１不織布シート＞
親水性不織布からなる第１不織布シート１１５ａとしては、従来公知のレーヨン、パルプ、ＰＶＡなどを１０質量％以上、好ましくは３０％以上、特に好ましくは５０％以上、構成原料繊維として含む不織布であればよい。必ずしも親水性繊維単独である必要はなく、ポリエチレン、ポリプロピレン、ポリエステルなどの疎水性の熱可塑性樹脂を９０質量％未満、好ましくは７０％未満、特に好ましくは５０％未満含んでいても本発明における親水性繊維である。具体的には親水性繊維６０％／疎水性繊維４０％が例示できる。このように疎水性樹脂を一定量含むことで、不織布シート間の接合一体化を、熱や超音波などによる溶着シールで行なうことができるので好ましい。第１不織布シート１１５ａは従来公知のスパンレース法などによって形成できる。
【００２５】
親水性不織布からなる第１不織布シート１１５ａの表面は、最大高低差で０．１ｍｍから５ｍｍ程度の凹凸形状がエンボス加工などによって付されていてもよい。これによって、隣接する不織布シート同士の仮着をより効果的に防止して、清掃性能を向上することができる。
【００２６】
親水性不織布からなる第１不織布シート１１５ａは、少なくとも２層以上配置されており、好ましくは、清掃面側の最外層に第１不織布シート１１５ａが配置されている。親水性不織布が清掃面側の最外層に配置されることで、ウエットタイプとしての清掃効果が充分発揮される。
【００２７】
＜第２不織布シート＞
疎水性不織布からなる第２不織布シート１１５ｂとしては、従来公知のポリエチレン、ポリプロピレン、ポリエステルなどの疎水性の熱可塑性樹脂を９０質量％以上構成原料繊維として含む不織布であればよい。必ずしも疎水性繊維単独である必要はなく、レーヨン、パルプ、ＰＶＡなどの親水性繊維を１０質量％未満含んでいても本発明における疎水性繊維である。具体的には親水性繊維０％／疎水性繊維１００％が例示できる。第２不織布シート１１５ｂは従来公知のスルーエア法やスパンボンド法などによって形成できる。
【００２８】
＜不織布シートの配置と効果＞
（１）本発明においては、親水性不織布の第１不織布シート１１５ａ間に、疎水性不織布からなる第２不織布シート１１５ｂを配置することで、疎水性不織布からなる第２不織布シート１１５ｂが仕切りの役割をして、複数の親水性不織布の第１不織布シート１１５ａの間を分断する。これによって、親水性シートの第１不織布シート１１５ａ同士が洗浄液によって仮着して刷毛性能が低下することを効果的に防止できる。
【００２９】
（２）また、第２不織布シート１１５ｂの仕切り効果によって、それぞれの親水性シートの第１不織布シート１１５ａが独立的に存在するために、不織布シート１１５ａ間での洗浄液の移動を抑制してばらつきが生じなくなり、安定した清掃能力を維持することができる。
【００３０】
（３）更に、疎水性不織布からなる第２不織布シート１１５ｂによる仕切りは、それぞれの親水性シートの第１不織布シート１１５ａからの水分蒸発も抑制するので、安定した清掃能力を長期間維持することができる。
【００３１】
親水性不織布の第１不織布シート１１５ａと、疎水性不織布からなる第２不織布シート１１５ｂとの配置関係は、図４に示す実施形態のように、清掃面側の最外層を親水性不織布の第１不織布シート１１５ａとし、そこから交互に第１不織布シート１１５ａと第２不織布シート１１５ｂとを配置することが好ましいが、必ずしもそれに限らず、一又は複数の第１不織布シート１１５ａ／一又は複数の第２不織布シート１１５ｂ／一又は複数の第１不織布シート１１５ａ／一又は複数の第２不織布シート１１５ｂ／・・・のような構成も本発明における「交互」の一態様である。
【００３２】
＜洗浄液＞
本発明は、いわゆるウエットタイプとして好適に使用されるものであり、本発明の清掃用シート又は刷毛部を製造した後に、所定の方法で洗浄液を含浸させる。この際、上記のように、水系の洗浄剤は、親水性不織布の第１不織布シート１１５ａに含浸されるが、疎水性不織布からなる第２不織布シート１１５ｂにはほとんど含浸されない。その結果、上記のような第２不織布シート１１５ｂの仕切り効果が発揮される。
【００３３】
洗浄液は、好ましくは９５％以上が水である水系洗浄液であり、水１００％を含むものである。他に、従来公知の界面活性剤、アルコール、溶剤、防腐剤、消臭剤、香料などを適宜含有している。洗浄液の含浸量は清掃シートの乾燥重量に対して１から１０倍量程度、好ましくは３倍量程度で適宜設定される。
【００３４】
なお、本発明の清掃用シートは、必ずしもあらかじめ洗浄液が含浸されていなくてもよく、洗浄液を使用者が使用前に含浸させるものも含まれる。この場合であっても、水系の洗浄剤は親水性不織布の第１不織布シート１１５ａに含浸されるが、疎水性不織布からなる第２不織布シート１１５ｂにはほとんど含浸されないので、上記のような第２不織布シート１１５ｂの仕切り効果が含浸後に発揮される。
【産業上の利用可能性】
【００３５】
本発明は、例えばハンディタイプの清掃用物品であって、洗浄液を含有するウエットタイプの清掃用物品として好適に使用することができる。
【符号の説明】
【００３６】
１００  …清掃用シート
１１０  …不織布シート
１１０ａ…切り込み線
１１０ｂ…短冊片
１１５  …不織布シート
１１５ａ…第１不織布シート
１１５ｂ…第２不織布シート
１５０  …被挿入空間
１６０  …線シール部
１７０  …ポイントシール部
２００  …把持具
２１０  …基部
２１０ａ…挿入部
２１０ｂ…挿入部
３００  …清掃用物品
【図１】
2014183993.tif 000003
【図２】
2014183993.tif 000004
【図３】
2014183993.tif 000005
【図４】
2014183993.tif 000006
【図５】
2014183993.tif 000007